(57)【特許請求の範囲】
【請求項１】
床面に固定する、ストッパ片を床面に沿った状態から床面より突出するように揺動可能に配設した係止具本体と、扉側に固定する、前記ストッパ片の受け部を設けた戸当たり本体とからなり、扉が開いて所定位置にきたときに、ストッパ片を床面より突出させて戸当たり本体側に当接させ、それ以上の開扉を阻止するように構成した戸当たりにおいて、係止具本体のストッパ片の下に、ストッパ片の下面を支持し、前端側に向けてばねで付勢されるとともに、後端側に向けて摺動可能に可動片を配設し、戸当たり本体に、扉が開いて所定位置にきたときに、可動片の前端面に当接し、可動片を後端側に向けて摺動させることにより、可動片の楔作用でストッパ片の先端側を上方に移動させることで、ストッパ片を床面に沿った状態から床面より突出するように揺動させて戸当たり本体の受け部に当接させるようにする当接片を設けたことを特徴とする戸当たり。
【請求項２】
前記ストッパ片に、係止部を形成するとともに、戸当たり本体に、ばねで付勢されることによってストッパ片に形成した係止部に係合し、所定の負荷がかかったときに係合が解除されるようにした第１の係止片と、操作部によって係止部との係合、解除を行うようにした第２の係止片とを設けたことを特徴とする請求項１に記載の戸当たり。
【発明の詳細な説明】
【技術分野】
【０００１】
本発明は、床面のバリアフリー化を図るため床面からの突出高さを可及的に低くし、かつフック掛けなどの面倒な操作をなくして確実に定位置で扉を停止させ、開扉状態を保持し、さらに、あおりを防止することができるようにした戸当たりに関するものである。
【背景技術】
【０００２】
この種の戸当たりとして、従来、扉側に固定し、磁石を配設した戸当たり本体と、床面に固定し、床面より突出するようにストッパ片を揺動可能に配設した係止具本体とからなり、扉が開いて所定位置にきたときに、磁石の励磁吸着作用によりストッパ片を床面より突出させて戸当たり本体側に当接させ、それ以上の開扉を阻止するようにするとともに、ストッパ片に形成した係止部に戸当たり本体に設けた係止片を係合させることにより、開扉状態を保持し、あおりを防止することができるようにしたものが汎用されている（例えば、特許文献１〜２参照。）。
【０００３】
ところで、上記従来の戸当たりは、戸当たり本体に配設した磁石の励磁吸着作用によりストッパ片を床面より突出させて戸当たり本体側に当接させるようにしているため、扉を開く速度が極めて速い場合には、ストッパ片が床面より突出する前に戸当たり本体がストッパ片の上を通過してしまい、戸当たりの所期の目的を達成できないという問題があった。
また、戸当たり本体に配設した磁石に他の金属片が吸着され、それを知らずに扉を開閉操作した場合に、床面に傷が付くという問題があった。
【０００４】
上記問題点に対処するために、本件出願人は、先に、戸当たり本体に、扉が開いて所定位置にきたときに、ストッパ片の先端を掬い上げて、床面より突出させて戸当たり本体の受け部に当接させるように導く掬い上げ部を設けた戸当たりを提案した（特許文献３参照。）。
【先行技術文献】
【特許文献】
【０００５】
【特許文献１】特許第３５５３８１８号公報
【特許文献２】特許第３９３９１６３号公報
【特許文献３】特許第５３２１９９６号公報
【発明の概要】
【発明が解決しようとする課題】
【０００６】
ところで、特許文献３に記載の戸当たりは、上記従来の戸当たりの有する問題点を解消し、扉を開く速度が極めて速い場合でも、扉が開いて所定位置にきたときに、掬い上げ部によりストッパ片を床面より機械的に掬い上げることによって、戸当たり本体がストッパ片の上をそのまま通過することを防止し、ストッパ片を確実に突出させて戸当たり本体の受け部に当接させ、それ以上の開扉を阻止するようにすることができ、また、従来の戸当たりのように戸当たり本体に磁石が配設されていないため、戸当たり本体に他の金属片が吸着されることがなく、扉の開閉操作によって床面に傷が付くという問題をなくすことができるものである。
【０００７】
しかしながら、特許文献３に記載の戸当たりは、掬い上げ部によりストッパ片を床面より機械的に掬い上げるようにしているため、扉の建て付けの誤差や経年変位があった場合、掬い上げ部の高さ調整を頻繁に行う必要があるという問題があった。
【０００８】
また、特許文献３に記載の戸当たりを含めて、従来の戸当たりは、開扉するだけでは、開扉状態を保持できず（特許文献１〜２に記載の戸当たりにおいても、磁石の保持力は弱い。）、あおりを防止することが困難であるという問題があった。
【０００９】
本発明の戸当たりは、上記従来の戸当たりの有する問題点に鑑み、扉が開いて所定位置にきたときに、ストッパ片を床面より確実に突出させて戸当たり本体側に当接させ、それ以上の開扉を阻止するようにすることができるとともに、戸当たり本体に金属片が吸着されることがなく、さらに、扉の建て付けの誤差や経年変位に対して高さ調整の頻度を低減することができる戸当たりを提供することを第１の目的とする。
【００１０】
また、本発明の戸当たりは、開扉するだけで、開扉状態を保持し、あおりを防止することができるようにした戸当たりを提供することを第２の目的とする。
【課題を解決するための手段】
【００１１】
上記第１の目的を達成するため、本第１発明の戸当たりは、床面に固定する、ストッパ片を床面に沿った状態から床面より突出するように揺動可能に配設した係止具本体と、扉側に固定する、前記ストッパ片の受け部を設けた戸当たり本体とからなり、扉が開いて所定位置にきたときに、ストッパ片を床面より突出させて戸当たり本体側に当接させ、それ以上の開扉を阻止するように構成した戸当たりにおいて、係止具本体のストッパ片の下に、ストッパ片の下面を支持し、前端側に向けてばねで付勢されるとともに、後端側に向けて摺動可能に可動片を配設し、戸当たり本体に、扉が開いて所定位置にきたときに、可動片の前端面に当接し、可動片を後端側に向けて摺動させることにより、可動片の楔作用でストッパ片の先端側を上方に移動させることで、ストッパ片を床面に沿った状態から床面より突出するように揺動させて戸当たり本体の受け部に当接させるようにする当接片を設けたことを特徴とする。
【００１２】
また、上記第２の目的を達成するため、本第２発明の戸当たりは、床面に固定する、ストッパ片を揺動可能に配設した係止具本体と、扉側に固定する、前記ストッパ片の受け部を設けた戸当たり本体とからなり、扉が開いて所定位置にきたときに、ストッパ片を床面より突出させて戸当たり本体側に当接させ、それ以上の開扉を阻止するように構成した戸当たりにおいて、ストッパ片に、係止部を形成するとともに、戸当たり本体に、ばねで付勢されることによってストッパ片に形成した係止部に係合し、所定の負荷がかかったときに係合が解除されるようにした第１の係止片と、操作部によって係止部との係合、解除を行うようにした第２の係止片とを設けたことを特徴とする。
【発明の効果】
【００１３】
本第１発明の戸当たりによれば、係止具本体のストッパ片の下に、ストッパ片の下面を支持し、前端側に向けてばねで付勢されるとともに、後端側に向けて摺動可能に可動片を配設し、戸当たり本体に、扉が開いて所定位置にきたときに、可動片の前端面に当接し、可動片を後端側に向けて摺動させることにより、ストッパ片を揺動させて戸当たり本体の受け部に当接させるようにする当接片を設けるようにすることにより、扉を開く速度が極めて速い場合でも、扉が開いて所定位置にきたときに、機械的にストッパ片を揺動させて戸当たり本体の受け部に当接させるようにすることによって、戸当たり本体がストッパ片の上をそのまま通過することを防止し、ストッパ片を確実に突出させて戸当たり本体の受け部に当接させ、それ以上の開扉を阻止するようにすることができる。
また、従来の戸当たりのように戸当たり本体に磁石が配設されていないため、戸当たり本体に他の金属片が吸着されることがなく、扉の開閉操作によって床面に傷が付くという問題をなくすことができる。
さらに、当接片が当接する可動片の前端面の高さ方向の寸法によって、扉の建て付けの誤差や経年変位を吸収して、高さ調整の頻度を低減することができる。
【００１４】
また、本第２発明の戸当たりによれば、ストッパ片に、係止部を形成するとともに、戸当たり本体に、ばねで付勢されることによってストッパ片に形成した係止部に係合し、所定の負荷がかかったときに係合が解除されるようにした第１の係止片と、操作部によって係止部との係合、解除を行うようにした第２の係止片とを設けるようにすることにより、第１の係止片によって、開扉するだけで、自動的に開扉状態を保持し、あおりを防止することができるようにするとともに、第２の係止片によって、操作部を操作することで係止部との係合、解除を行い、開扉状態を保持し、あおりを防止することができる。
【図面の簡単な説明】
【００１５】
【図１】本発明の戸当たりの一実施例を示す係止具本体の説明図で、（ａ）はストッパ片を省略した係止具本体の平面図で、（ｂ）は係止具本体の動作状態を示す説明図である。
【図２】同係止具本体のカバーの説明図である。
【図３】同係止具本体のみの説明図で、（ａ）は平面図、（ｂ）は正面図、（ｃ）は側面図である。
【図４】同係止具本体の可動片（上部可動片）の説明図で、（ａ）は平面図、（ｂ）は正面図、（ｃ）は側面図である。
【図５】同係止具本体の可動片（下部可動片）の説明図で、（ａ）は平面図、（ｂ）は正面図、（ｃ）は背面図、（ｄ）は側面図、（ｅ）は底面図である。
【図６】同戸当たり本体の説明図で、（ａ）は第１の係止片が機能している状態を示す説明図、（ｂ）は第２の係止片が機能している状態を示す説明図である。
【図７】同戸当たりの動作状態を示す説明図である。
【図８】同戸当たり本体のみの説明図で、（ａ）は正面図、（ｂ）は平面図、（ｃ）は底面図、（ｄ）は側面図である。
【図９】同戸当たり本体のカバーの説明図で、（ａ）は正面図、（ｂ）は側面図である。
【図１０】同戸当たり本体の第１の係止片の説明図である。
【図１１】同戸当たり本体の第２の係止片の説明図で、（ａ）は正面図、（ｂ）は平面図、（ｃ）は底面図、（ｄ）は側面図、（ｅ）は背面図である。
【図１２】本発明の戸当たりの第１変形実施例を示す戸当たり本体の説明図で、（ａ）は初期状態を示す説明図、（ｂ）は第２の係止片が機能している状態を示す説明図である。
【図１３】同ストッパ片を省略した係止具本体の平面図である。
【図１４】同係止具本体の可動片の説明図で、（ａ）は平面図、（ｂ）は正面図、（ｃ）は背面図、（ｄ）側面図、（ｅ）は底面図である。
【図１５】同係止具本体のばね支持片の説明図で、（ａ）は平面図、（ｂ）は背面図である。
【図１６】本発明の戸当たりの第２変形実施例を示す戸当たり本体の説明図で、（ａ）は正面図、（ｂ）は上昇位置での第１の係止片が機能している状態を示す説明図、（ｃ）は同第２の係止片が機能している状態を示す説明図、（ｄ）は降下位置での第１の係止片が機能している状態を示す説明図、（ｅ）は同第２の係止片が機能している状態を示す説明図である。
【図１７】本発明の戸当たりの第３変形実施例を示す戸当たり本体の説明図で、（ａ）は第１の係止片が機能している状態を示す側面図、（ｂ）は同正面図、（ｃ）は第２の係止片が機能している状態を示す説明図、（ｄ）は同正面図である。
【発明を実施するための形態】
【００１６】
以下、本発明の戸当たりの実施の形態を、図面に基づいて説明する。
【００１７】
図１〜図１１に、本発明の戸当たりの一実施例を示す。
この戸当たりは、床面に固定する、ストッパ片１１を揺動可能に配設した係止具本体１と、扉側に固定する、ストッパ片１１の受け部２１を設けた戸当たり本体２とからなり、扉が開いて所定位置にきたときに、ストッパ片１１を床面より突出させて戸当たり本体２側に当接させ、それ以上の開扉を阻止するように構成するとともに、係止具本体１のストッパ片１１の下に、ストッパ片１１の下面を支持し、前端側に向けてばね１３で付勢されるとともに、後端側に向けて摺動可能に可動片１２を配設し、戸当たり本体２に、扉が開いて所定位置にきたときに、可動片１２の前端面に当接し、可動片１２を後端側に向けて摺動させることにより、ストッパ片１１を揺動させて戸当たり本体２の受け部２１に当接させるようにする当接片２２を設けるようにしている。
【００１８】
これにより、扉を開く速度が極めて速い場合でも、扉が開いて所定位置にきたときに、機械的にストッパ片１１を揺動させて戸当たり本体２の受け部２１に当接させるようにすることによって、戸当たり本体２がストッパ片１１の上をそのまま通過することを防止し、ストッパ片１１を確実に突出させて戸当たり本体２の受け部２１に当接させ、それ以上の開扉を阻止するようにすることができる。
また、従来の戸当たりのように戸当たり本体に磁石が配設されていないため、戸当たり本体２に他の金属片が吸着されることがなく、扉の開閉操作によって床面に傷が付くという問題をなくすことができる。
さらに、当接片２２が当接する可動片１２の前端面の高さ方向の寸法によって、扉の建て付けの誤差や経年変位を吸収して、高さ調整の頻度を低減することができる。
【００１９】
この場合において、戸当たり本体２の当接片２２が当接する可動片１２は、図４に示す上部可動片１２ａと、図５に示す下部可動片１２ｂを上下に組み合わせて構成するようにしているが、可動片１２の形状及び構造は、これに限定されず、扉が開いて所定位置にきたときに、当接片２２の先端が当接することで、可動片１２が後端側に向けて摺動することにより、可動片１２の楔作用でストッパ片１１の先端側が上方に移動するようにストッパ片１１を揺動させる構造のものであれば、任意の形状及び構造のものを採用することができる。
【００２０】
また、可動片１２は、係止具本体１に形成した溝部に嵌合する鳩尾形状の嵌合部を備え、これにより、可動片１２が係止具本体１から離脱することなく、摺動できるようにしている。
【００２１】
また、係止具本体１は、床面に固定した後、カバー１０により、ストッパ片１１の位置を除いて、その上部を覆うようにする。
【００２２】
また、ストッパ片１１には、係止部１１ａを形成するとともに、戸当たり本体２に、ばね２４で付勢されることによってストッパ片１１に形成した係止部１１ａに係合し、所定の負荷がかかったときにばね２４の付勢力に抗して係合が解除されるようにした第１の係止片２３と、操作部２６によって係止部１１ａとの係合、解除を行うようにした第２の係止片２５とを設けるようにしている。
【００２３】
これにより、第１の係止片２３によって、開扉するだけで、ばね２４の付勢力によって自動的に開扉状態を保持し、あおりを防止することができるようにするとともに、第２の係止片２５によって、操作部２６を操作することでストッパ片１１の係止部１１ａとの係合、解除を行い、開扉状態を保持し、あおりを防止することができる。
【００２４】
なお、第１の係止片２３と第２の係止片２５とを設けるようにする機構は、磁石を使用する従来の戸当たりにも適用することができる。
【００２５】
この場合において、係止部１１ａは、ストッパ片１１に形成した貫通孔で構成し、この係止部１１ａに、戸当たり本体２に可動に設けた第１の係止片２３を、ばね２４の付勢力及び外力（外部からかかる負荷）によって挿入することで係合するようにし、同様に、戸当たり本体２に可動に設けた第２の係止片２５を、操作部２６を操作することによって挿入することで係合するようにしている。
なお、ストッパ片１１に形成する係止部１１ａ並びに第１の係止片２３及び第２の係止片２５の形態は、これに限定されず、係合状態をとれる任意の形態を採用することができる。
【００２６】
また、ストッパ片１１は、磁石を使用する従来の戸当たりのように必ずしも金属製（磁性体製）のものを用いる必要はなく、ポリアミド樹脂やポリアセタール樹脂等の合成樹脂製やＦＲＰ製のものを用いることができる。
これにより、製造コストを低廉にできるだけでなく、ストッパ片１１の色合いを自由に選定することができ、係止具本体１において露出するストッパ片１１が目立たないようにして、係止具本体１を固定する床面の意匠性を損なうことを防止することができる。
【００２７】
また、本実施例において、第２の係止片２５の操作部２６は、戸当たり本体２のカバー２０と一体に形成し、操作部２６を操作することにより、カバー２０も上下するようにしているが、操作部２６をカバー２０とは独立して設けるようにすることもできる。
【００２８】
また、戸当たり本体２は、高さ位置調節機構２７を介して、扉の外面に固定するようにすることにより、戸当たり本体２の取付高さ位置を調節することができるようにしている。
【００２９】
図１２〜図１５に、本発明の戸当たりの第１変形実施例を示す。
この戸当たりは、上記実施例の戸当たりの係止具本体１の可動片１２を、１つの部材で構成したものである。
また、可動片１２を前端側に向けて付勢するばね１３が屈曲しないようにするばね支持棒を設けたばね受け１４を係止具本体１の可動片１２の対向位置に固定し、ばね受け１４と可動片１２との間にばね１３を介在させるようにしている。
【００３０】
なお、本第１変形実施例の戸当たりのその他の構成及び作用は、上記実施例の戸当たりと同様である。
【００３１】
図１６に、本発明の戸当たりの第２変形実施例を示す。
この戸当たりは、上記実施例の戸当たりが、戸当たり本体２を扉の外面に固定する方式のものであるのに対して、戸当たり本体２を、戸当たり本体２のカバー２０を介して、扉の内側に固定し、第２の係止片２５の操作部２６及び高さ位置調節機構２７を、扉の小口側から操作する方式にしたものである。
これにより、戸当たり本体２が目立たず、意匠性を向上することができる。
【００３２】
なお、本第２変形実施例の戸当たりのその他の構成及び作用は、上記実施例の戸当たりと同様である。
【００３３】
図１７に、本発明の戸当たりの第３変形実施例を示す。
この戸当たりは、上記実施例の戸当たりの戸当たり本体２の第２の係止片２５の操作部２６を、２方向に設けるようにしたものである。
これにより、扉の開閉方向や蝶番の取付箇所に関わらず、１種類の戸当たり本体２で対応することができる。
【００３４】
なお、本第３変形実施例の戸当たりのその他の構成及び作用は、上記実施例及び第２変形実施例の戸当たりと同様である。
【００３５】
以上、本発明の戸当たりについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３６】
本発明の戸当たりは、扉が開いて所定位置にきたときに、ストッパ片を床面より確実に突出させて戸当たり本体側に当接させ、それ以上の開扉を阻止するようにすることができるとともに、戸当たり本体に金属片が吸着されることがなく、さらに、扉の建て付けの誤差や経年変位に対して高さ調整の頻度を低減することができることから、種々の戸当たりの用途に好適に用いることができる。
【符号の説明】
【００３７】
１  係止具本体
１０  （係止具本体の）カバー
１１  ストッパ片
１１ａ  係止部
１２  可動片
１２ａ  上部可動片
１２ｂ  下部可動片
１３  ばね
１４  ばね受け
２  戸当たり本体
２０  （戸当たり本体の）カバー
２１  受け部
２２  当接片
２３  第１の係止片
２４  ばね
２５  第２の係止片
２６  操作部
２７  高さ位置調節機構
【図１】
0006552897.tif 000002
【図２】
0006552897.tif 000003
【図３】
0006552897.tif 000004
【図４】
0006552897.tif 000005
【図５】
0006552897.tif 000006
【図６】
0006552897.tif 000007
【図７】
0006552897.tif 000008
【図８】
0006552897.tif 000009
【図９】
0006552897.tif 000010
【図１０】
0006552897.tif 000011
【図１１】
0006552897.tif 000012
【図１２】
0006552897.tif 000013
【図１３】
0006552897.tif 000014
【図１４】
0006552897.tif 000015
【図１５】
0006552897.tif 000016
【図１６】
0006552897.tif 000017
【図１７】
0006552897.tif 000018